【手続補正書】
【提出日】平成18年11月23日(2006.11.23)
【手続補正１】
【補正対象書類名】特許請求の範囲
【補正対象項目名】全文
【補正方法】変更
【補正の内容】
【特許請求の範囲】
【請求項１】
送風手段と、該送風手段によって送られる汚染空気を加熱する加熱部と、該加熱部の下流に設けられ加熱された汚染空気を触媒の作用によって脱臭する酸化触媒部と、該酸化触媒部を通過して排出される清浄空気の熱を吸収して装置内へ吸入される汚染空気に熱を与える熱交換部とを備える脱臭装置であって、
前記加熱部と前記酸化触媒部とがセットになって構成された脱臭部が収納され、箱体状に設けられた脱臭部ケースを備え、
前記熱交換部が、前記脱臭部ケースとは別の箱体状に設けられ前記脱臭部ケースの上側に隣接される上側熱交換部と、前記脱臭部ケース及び前記上側熱交換部とは別の箱体状に設けられ前記脱臭部ケースの下側に隣接される下側熱交換部とから構成され、
前記下側熱交換部、前記脱臭部ケース、前記上側熱交換部の順に下から積み重ねた形態に設けられていることを特徴とする脱臭装置。
【請求項２】
前記脱臭部ケース内には、複数の前記脱臭部が、水平方向へ直列に設置されたことを特徴とする請求項１記載の脱臭装置。
【請求項３】
前記上側熱交換部では、脱臭部を通過した直後の清浄空気と、吸気口から吸入された直後の汚染空気との間で熱交換がされるべく流路が接続され、
前記下側熱交換部では、前記上側熱交換部を通過した清浄空気と、前記上側熱交換部を通過した汚染空気との間で熱交換がされるべく流路が接続されたことを特徴とする請求項１又は２記載の脱臭装置。
【請求項４】
前記脱臭部ケースは、断面が四角で少なくとも高さが幅と奥行きに比較して短く設けられ、断面が四角に形成された前記上側熱交換部及び前記下側熱交換部との間に挟まれて設けられていることを特徴とする請求項１、２又は３記載の脱臭装置。
【請求項５】
前記脱臭部ケース及び前記熱交換部を内包する外側ケースの上板と、前記上側熱交換部の上面との間に、断熱空間を設けたことを特徴とする請求項１、２、３又は４記載の脱臭装置。
【請求項６】
前記上側熱交換部及び前記下側熱交換部は、箱体状のケースと、該ケースに内包されて外側に放熱用のフィンを備えると共に内側に吸熱用のフィンを備える複数の筒体とから形成され、前記筒体の外側を汚染空気が通過して内側を清浄空気が通過するように空気流路に接続されていることを特徴とする請求項１、２、３、４又は５記載の脱臭装置。
【請求項７】
前記脱臭部ケース及び前記熱交換部によって一つの脱臭ユニットが形成され、該脱臭ユニットが複数並列に接続されて前記外側ケースに内蔵されていることを特徴とする請求項１、２、３、４、５又は６記載の脱臭装置。
【請求項８】
被処置物が載置されて処理される台部を有し、該台部上の汚染空気を吸引して脱臭すべく、請求項１、２、３、４、５、６又は７記載の脱臭装置を備えることを特徴とする脱臭装置付処置台。
【請求項９】
前記台部の上方に、下降空気流を発生させる送風機が設置され、前記台部の両側部に、前記下降空気流によって供給された空気を取り込んで前記脱臭装置へ送るべく、吸入口が設けられたことを特徴とする請求項８記載の脱臭装置付処置台。
【手続補正２】
【補正対象書類名】明細書
【補正対象項目名】０００６
【補正方法】変更
【補正の内容】
【０００６】
本発明は、上記目的を達成するために次の構成を備える。
本発明にかかる脱臭装置の一形態によれば、送風手段と、該送風手段によって送られる汚染空気を加熱する加熱部と、該加熱部の下流に設けられ加熱された汚染空気を触媒の作用によって脱臭する酸化触媒部と、該酸化触媒部を通過して排出される清浄空気の熱を吸収して装置内へ吸入される汚染空気に熱を与える熱交換部とを備える脱臭装置であって、前記加熱部と前記酸化触媒部とがセットになって構成された脱臭部が収納され、箱体状に設けられた脱臭部ケースを備え、前記熱交換部が、前記脱臭部ケースとは別の箱体状に設けられ前記脱臭部ケースの上側に隣接される上側熱交換部と、前記脱臭部ケース及び前記上側熱交換部とは別の箱体状に設けられ前記脱臭部ケースの下側に隣接される下側熱交換部とから構成され、前記下側熱交換部、前記脱臭部ケース、前記上側熱交換部の順に下から積み重ねた形態に設けられていることを特徴とする。
【手続補正３】
【補正対象書類名】明細書
【補正対象項目名】０００７
【補正方法】変更
【補正の内容】
【０００７】
また、本発明にかかる脱臭装置の一形態によれば、前記脱臭部ケース内には、複数の前記脱臭部が、水平方向へ直列に設置されたことを特徴とすることができる。
また、本発明にかかる脱臭装置の一形態によれば、前記上側熱交換部では、脱臭部を通過した直後の清浄空気と、吸気口から吸入された直後の汚染空気との間で熱交換がされるべく流路が接続され、前記下側熱交換部では、前記上側熱交換部を通過した清浄空気と、前記上側熱交換部を通過した汚染空気との間で熱交換がされるべく流路が接続されたことを特徴とすることができる。
【手続補正４】
【補正対象書類名】明細書
【補正対象項目名】０００８
【補正方法】変更
【補正の内容】
【０００８】
また、本発明にかかる脱臭装置の一形態によれば、前記脱臭部ケースは、断面が四角で少なくとも高さが幅と奥行きに比較して短く設けられ、断面が四角に形成された前記上側熱交換部及び前記下側熱交換部との間に挟まれて設けられていることを特徴とすることができる。
また、本発明にかかる脱臭装置の一形態によれば、前記脱臭部ケース及び前記熱交換部を内包する外側ケースの上板と、前記上側熱交換部の上面との間に、断熱空間を設けたことを特徴とすることができる。
【手続補正５】
【補正対象書類名】明細書
【補正対象項目名】０００９
【補正方法】変更
【補正の内容】
【０００９】
また、本発明にかかる脱臭装置の一形態によれば、前記上側熱交換部及び前記下側熱交換部は、箱体状のケースと、該ケースに内包されて外側に放熱用のフィンを備えると共に内側に吸熱用のフィンを備える複数の筒体とから形成され、前記筒体の外側を汚染空気が通過して内側を清浄空気が通過するように空気流路に接続されていることを特徴とすることができる。
【手続補正６】
【補正対象書類名】明細書
【補正対象項目名】００１０
【補正方法】変更
【補正の内容】
【００１０】
また、本発明にかかる脱臭装置の一形態によれば、前記脱臭部ケース及び前記熱交換部によって一つの脱臭ユニットが形成され、該脱臭ユニットが複数並列に接続されて前記外側ケースに内蔵されていることを特徴とすることができる。
【手続補正７】
【補正対象書類名】明細書
【補正対象項目名】００２１
【補正方法】変更
【補正の内容】
【００２１】
また、本形態例の脱臭部２０が収容された脱臭部ケース２１は、断面が四角で少なくとも高さが幅と奥行きに比較して短く設けられている。そして、断面が四角に形成された上側熱交換部３１及び下側熱交換部３２と、脱臭部ケース２１とは、断熱材４０を挟んで隣接されて設けられている。
これによれば、偏平に形成された脱臭部ケース２１が、上側熱交換部３１及び下側熱交換部３２によって、包まれるように装置の上下方向の略中央に位置される。つまり、上側熱交換部３１及び下側熱交換部３２は、熱が逃げにくい脱臭部ケース２１の側部を覆うことはないが、実質的に脱臭部ケース２１を真ん中にして包み込む形態となっている。脱臭部ケース２１が装置の中央部にあるため、加熱部２２が好適に保温され、加熱効率を高めることができる。
【手続補正８】
【補正対象書類名】明細書
【補正対象項目名】００２２
【補正方法】変更
【補正の内容】
【００２２】
また、下側熱交換部３２、脱臭部ケース２１及び上側熱交換部３１は、それぞれの外形が箱体の形状をしており、それぞれ別体に形成されたものが順に断熱材４０を挟んで重ね合わされ、後述するダクトで接続されて脱臭ユニット１５が構成されている。このように、箱体状の下側熱交換部３２、脱臭部ケース２１及び上側熱交換部３１を積み重ねることで、脱臭ユニット１５の基本構成を構築できるため、組み立て易く、製造コストを低減できる利点もある。
【手続補正９】
【補正対象書類名】明細書
【補正対象項目名】００２３
【補正方法】変更
【補正の内容】
【００２３】
上側熱交換部３１及び下側熱交換部３２は、箱体状のケース３３と、そのケース３３に内包されて外側に放熱用のフィンを備え内側に吸熱用のフィンを備える複数の筒体３５とから形成されている。本形態例では、上側熱交換部３１及び下側熱交換部３２のそれぞれに、４本の筒体が上下に２本ずつ並列に配設されている。
また、筒体３５の外側３５ａを汚染空気が通過して内側３５ｂを清浄空気が通過するように各空気流路に接続されている。
このように上側熱交換部３１及び下側熱交換部３２が設けられることで、熱交換の効率を向上させることができる。これによれば、汚染空気を効率良く加熱でき、脱臭性能を向上できると共に、エネルギー消費を好適に削減できる。
【手続補正１０】
【補正対象書類名】明細書
【補正対象項目名】００２４
【補正方法】変更
【補正の内容】
【００２４】
４２は断熱空間であり、脱臭部ケース２１及び熱交換部３１、３２を内包する外側ケース５０の上板５１と、上側熱交換部３１の上面３１ａとの間に設けられている。
これにより、上側熱交換部３１の上面３１ａから外側ケース５０の上板５１への伝導伝熱を小さく抑え、その上板５１が加熱することを防止できる。従って、加熱され易い外側ケース５０の上板５１からの放熱を抑制して熱効率を向上できる。
【手続補正１１】
【補正対象書類名】明細書
【補正対象項目名】００２５
【補正方法】変更
【補正の内容】
【００２５】
図２に示すように、本形態例では、脱臭部ケース２１及び熱交換部３１、３２によって一つの脱臭ユニット１５が形成され、その脱臭ユニット１５が複数（本形態例では二つ）並列に接続されて外側ケース５０に内蔵されている。なお、各脱臭ユニット１５は、保温性を高めるために全体的に断熱材（図示せず）で包まれて外側ケース５０内に収容されている。
このようにユニット化することで、使用現場に適合した処理能力のある脱臭装置を容易に製作することができる。